(57)【要約】      （修正有）【課題】いかなる場所でも平面部分にこれらの殺菌等の機能を最大限に発揮できるようなシートを貼付できるように構成し、しかも、その表面には広告機能を果たせる文字や図形を印刷することにより、周囲に気付かれない状態で殺菌し、しかも、殺菌の恩恵を受ける人々には広告機能も充分に果たすことができる機能シートを提供する。【解決手段】要・殺菌個所の平面部材に、紙質のシート本体１２の表面に薬剤１３を塗布し裏面に粘着剤１１を塗布した所定大きさの機能シート１０を貼付すると共に、機能シート本体１２表面の薬剤１３としては水酸化カルシウムを基本とし、スサ、海藻糊、水性塗料樹脂を混合して構成し、しかも、シート本体１２の表面には宣伝広告の機能も具備する文字や図形を印刷した印刷面１４を設けた。【選択図】図２
0003218315.tif 000002
【実用新案登録請求の範囲】
【請求項１】
要・殺菌個所の平面部材に、紙質のシート本体の表面に薬剤を塗布し裏面に粘着剤を塗布した所定大きさの機能シートを貼付すると共に、機能シート本体表面の薬剤としては水酸化カルシウムを基本としスサ、海藻糊、水性塗料樹脂を混合して構成し、しかも、シート本体の表面には宣伝広告の機能も具備する文字や図形を印刷したことを特徴とする殺菌等機能を有する機能シート。
【考案の詳細な説明】
【技術分野】
【０００１】
本考案は、殺菌等機能を有する機能シートに関する。
【背景技術】
【０００２】
従来、要・殺菌個所、例えば、便器に殺菌シートを組み合わせた技術は多々ある。
例えば、要・殺菌個所としての腰かけ便器の弁蓋の内側にホルダーを取りつけて芳香剤や除菌剤や消臭剤などをケースごと取付けるものや、弁蓋の表面に光触媒を坦持した便蓋シートを張設するもの等がある（特許文献１,２,３）。
【０００３】
また、飲食店の室内や交通機関の車内や病院内で使用される検診ファイルや、特殊な例として女性用の高額ストッキングの保管袋など様々な個所での殺菌、特に抗ウイルスを要する個所での殺菌の必要性が望まれている個所は多岐にわたる。
【先行技術文献】
【特許文献】
【０００４】
【特許文献１】実用新案登録３１９８７８６号公報
【特許文献２】特開２００５−１５２２０７号公報
【特許文献３】特開２０１８−０３８７８２号公報
【考案の概要】
【考案が解決しようとする課題】
【０００５】
しかし、従来の殺菌シートはこれらの抗ウイルスを要する個所での殺菌の必要性が望まれている個所、例えば、腰かけ便器などの要・殺菌個所に殺菌剤とシートを組み合わせて単に便器の周囲や要・殺菌個所に殺菌剤や抗菌剤の機能を及ぼすような使用形態に構成しただけのものであり、更には平面的に貼付する必要があるのに適宜の殺菌機能シートを簡単に貼付できるような殺菌機能を有する構造のシートがなく、また、殺菌シートに広告機能も保有させ殺菌と同時に宣伝機能も保有させることができるような機能性のあるシートもなかった。
【０００６】
本件考案は、いかなる場所でも平面部分にこれらの殺菌等の機能を最大限に発揮できるようなシートを貼付できるように構成し、しかも、その表面には広告機能を果たせる文字や図形を印刷することにより、周囲に気付かれない状態で殺菌し、しかも、殺菌の恩恵を受ける人々には広告機能も充分に果たすことができる機能シートを提供せんとするものである。
【課題を解決するための手段】
【０００７】
本考案の態様の１つは、要・殺菌個所の平面部材に、紙質のシート本体の表面に薬剤を塗布し裏面に粘着剤を塗布した所定大きさの機能シートを貼付すると共に、機能シート本体表面の薬剤として水酸化カルシウムを基本としスサ、海藻糊、水性塗料樹脂を混合して構成し、しかも、シート本体の表面には宣伝広告の機能も具備する文字や図形を印刷したことを特徴とする殺菌等機能を有する機能シートを提供せんとするものである。
【考案の効果】
【０００８】
この考案によれば、要・殺菌個所の平面部材に、紙質のシート本体の表面に薬剤を塗布し裏面に粘着剤を塗布した所定大きさの機能シートを貼付すると共に、機能シート本体表面の薬剤としては水酸化カルシウムを基本としスサ、海藻糊、水性塗料樹脂を混合して構成し、しかも、シート本体の表面には宣伝広告の機能も具備する文字や図形を印刷したことにより、機能シートを単に要・殺菌個所に貼付するだけで衛生的な環境を生成することができる効果がある。
しかも、紙質のシート本体の表面に薬剤を塗布したものであるため取扱いも簡便でありコスト的にも有利であり、また、薬剤としては水酸化カルシウムを基本としスサ、海藻糊、水性塗料樹脂を混合して構成したものであるために強力な殺菌等の機能を一定期間永続的に果たすことができ、機能が消失したら張設し直すだけでよいためシート本体の交換も簡便に行える効果がある。
特に薬剤が水酸化カルシウムを基本としスサ、海藻糊、水性塗料樹脂を混合して構成しているために紙質表面に容易に塗布することができ塗布厚さを調整することにより薬剤の機能期間や効能の調整をすることができ使用する個所における殺菌の必要性に対応した使用形態を実現することができる効果がある。
また、塗布した薬剤表面領域には宣伝広告の機能も具備する文字や図形を印刷したことにより、使用する際には殺菌等の機能と共に広告宣伝機能も果たすことができ広告スポンサーの有料化により機能シートのコストの低減にも役立てることができる効果がある。
【図面の簡単な説明】
【０００９】
【図１】本考案の実施形態に機能シートを腰かけ便器の便蓋の内側に貼付した状態を示す斜視図である。
【図２】本考案の実施形態における便蓋と便座と便器の関係を示す断面図である。
【図３】本考案の実施形態における機能シートをトイレの壁面に貼付した状態を示す説明図である。
【図４】本考案の実施形態における機能シートを電車の吊下げ広告に活用した例を示す説明図である。
【図５】本考案の実施形態における機能シートを飲食店のメニュー表に活用した例を示す説明図である。
【図６】本考案の実施形態における機能シートを新幹線の座席の後面に張設した例を示す説明図である。
【図７】本考案の実施形態における機能シートをオフィス内受付けのポスターに活用した例を示す説明図である。
【図８】本考案の実施形態における機能シートを病院の検診ファイルに活用した例を示す説明図である。
【考案を実施するための形態】
【００１０】
この考案の要旨は、要・殺菌個所の平面部材に、紙質のシート本体の表面に薬剤を塗布し裏面に粘着剤を塗布した所定大きさの機能シートを貼付すると共に、機能シート本体表面の薬剤としては水酸化カルシウムを基本としスサ、海藻糊、水性塗料樹脂を混合して構成し、しかも、シート本体の表面には宣伝広告の機能も具備する文字や図形を印刷したことを特徴とする殺菌等機能を有する機能シートに関する。
【００１１】
この考案の実施例を図面に基づき詳細に説明する。
図１〜８は、要・殺菌箇所の平面部材としての各実施例で、かつ広告機能も果たすことが出来る使用形態としての各実施例を示す。
すなわち、図１は、腰かけ便器の便蓋の内側に機能シートを貼付した状態の説明図であり、図２は実施形態における便蓋と便座と便器の関係を示す断面図であり、図３は、トイレの壁に貼付した状態の説明図であり、図４は、電車の吊下げ広告に活用した例の説明図であり、図５は、飲食店のメニュー表に活用した例の説明図であり、図６は、新幹線の座席の後面に張設した例の説明図であり、図７は、オフィスなどの受付空間にポスターとして活用した例の説明図であり、図８は、病院の検診ファイルに活用した例の説明図である。
【００１２】
機能シート１０は大きさを略Ａ４タイプにしており、この大きさ規格は使用する個所に対応して適宜選択することができる。
【００１３】
殺菌・除菌・抗菌等の機能を有する機能シート１０は、基本的にはＣａ（ＯＨ）２消石灰を漆喰塗料として使用すると共に、これにスサ、海藻糊、水性塗料樹脂を混合して構成している。
【００１４】
具体的には、Ｃａ（ＯＨ）２消石灰は０.３ｋｇ／ｍ２の量を使用している。
また、図２に示すように、機能シート１０の裏面に塗布する粘着剤１１としてはアクリルゴムを使用する。
かかる機能シート１０は、大腸菌、黄色ブドウ球菌、緑膿菌、ＭＲＳＡ等の抗菌性を有し、また、ノロウイルス、インフルエンザウイルスを不活性化する抗ウイルス機能を有し、ペット臭やたばこ臭や生ごみ臭等の生活臭やトイレ臭を除去する消臭機能を有する。
【００１５】
<消臭性能試験>
かかる効果を検証するために所定の試料として本発明の機能シート１０を用いて、アンモニア、酢酸、メチルメルカブタン、硫化水素、インドールに対する消臭性能を試験した。その試験方法は、繊維評価技術協議会法の消臭性試験、及びＳＥＫマーク繊維製品認証基準用に基づき、２０℃、湿度６５％環境下で２４時間以上調湿された１００ｃｍ２（インドールのみ５０ｃｍ２）の試料片を使用し、該試料片を５Ｌのサンプリングバッグ内に封入し、３０分後、２時間後、２４時間後の揮発するガス濃度を検知管法又はガスクロマトグラフ法により測定した。それぞれの試料片のガス初期濃度はアンモニア１００ｐｐｍ、酢酸３０ｐｐｍ、メチルメルカブタン８ｐｐｍ、硫化水素４ｐｐｍ、インドール３３ｐｐｍであり、所定時間経過後の濃度は表１〜表５に示すとおりである。
【００１６】
【表１】
0003218315.tif 000003
【００１７】
【表２】
0003218315.tif 000004
【００１８】
【表３】
0003218315.tif 000005
【００１９】
【表４】
0003218315.tif 000006
【００２０】
【表５】
0003218315.tif 000007
【００２１】
上記条件下で測定した結果、表１〜５に示すように、測定した５成分について２４時間後には初期測定値と比較して約９０％の減少が確認された。
【００２２】
<抗菌性能試験>
また、本考案者は抗菌加工製品抗菌性試験方法、ＪＩＳＺ２８０１−２０００に従い、シャーレに菌を接種し、無加工状態と抗菌加工した状態で周囲温度３５℃、相対湿度９０％以上の条件下で２４時間培養し、菌液接種直後及び２４時間培養後の試験片３個の生菌数を測定することで機能シート１０の抗菌性能についても確認した。本試験では、大腸菌、黄色ぶどう球菌、緑膿菌、ＭＲＳＡの４種類について測定した。その測定結果を表６に示す。
【００２３】
【表６】
0003218315.tif 000008
【００２４】
上記条件下で測定した結果、表６に示すように、無加工のシャーレ内においては測定した全ての菌が２４時間後には増加したのに対して、本件考案の機能シート１０の試料片を同梱したシャーレ内ではほぼ全ての菌が死滅しており検出されなかった。
【００２５】
また、本考案者は空間内の浮遊ウイルスの除去性能評価試験を参考にトイレを模した畳約６畳分の約２５ｍ２（縦４０００ｍｍ×横２７７６ｍｍ×高２２６３ｍｍ）の室内に大腸菌を散布し、この大腸菌を散布しただけの空間と、本件考案の機能シート１０を貼り合わせてハンガーラックに引掛けたものを４箇所室内に吊下げ、さらに吊下げた機能シート１０が揺動する程度にサーキュレーターを使用して空気を対流させた空間と、２時間経過後のそれぞれの室内における生菌数を確認した。その結果を表７に示す。
【００２６】
【表７】
0003218315.tif 000009
【００２７】
上記条件下で測定した結果、表７に示すように、大腸菌を室内に散布しただけの検体未設置の室内では散布した大腸菌が約５０％減少したのに対して、本件考案の機能シート１０を設置した室内では約７５％減少した。
【００２８】
＜抗ウイルス性能試験＞
また、本考案者は抗ウイルスの検証実験として、本件考案の機能シート１０の試料片を内包したシャーレと、何も内包していない空のシャーレを準備し、それぞれのシャーレ内にウイルス液を注入し、６０分放置後のそれぞれのシャーレ内におけるウイルスの感染価について実験した。この抗ウイルスの検証実験で使用されるウイルス液はエンベロープウイルスとノンエンベロープウイルスの２種類とし、さらに、エンベロープウイルスはインフルエンザウイルス、水泡性口内炎ウイルス、ウシ丘疹性口炎ウイルスの３種類について確認し、ノンエンベロープウイルスはイヌパルボウイルスについて確認した。その結果を表８から表１１に示す。
【００２９】
【表８】
0003218315.tif 000010
【００３０】
【表９】
0003218315.tif 000011
【００３１】
【表１０】
0003218315.tif 000012
【００３２】
【表１１】
0003218315.tif 000013
【００３３】
上記条件下で測定した結果、表８から表１１に示すようにシャーレ内に本件考案の機能シート１０の試料片とウイルス液を同梱したシャーレではウイルス液のみをシャーレ内に内包した条件と比較して約９９％のウイルスの減少が確認された。
【００３４】
かかる機能シート１０のシート本体１２に浸漬した薬剤１３の機能は次のようなメカニズムによって生成される。
すなわち、薬剤１３の塗膜表面や内部には多数の細孔があり、その分表面積が広くウイルス液はかかる広範囲の面積の薬剤１３に接触し、ウイルス液が薬剤１３に付着するとウイルスの周辺の水分は薬剤１３のＣａ（ＯＨ）２消石灰によって強アルカリ性となりウイルス液の強アルカリ性化によってウイルスの構造が破壊され感染価が減少する。
すなわち、ウイルスの周囲環境が強アルカリ性になると脂質やたんぱく質の変性を引き起こしウイルスの構造が破壊される。
【００３５】
ウイルスは一般に咳、くしゃみによる飛沫中吐しゃ物など水分と共に存在する。
薬剤１３のこのような機能により抗菌、抗ウイルス効果が発揮される。
【実施例１】
【００３６】
一実施例としてのかかる殺菌等機能を有する腰かけ便器２０について機能シート１０を用いた実施例を図１及び図２を参照して説明する。本実施例では便蓋２１を閉めて機能シート１０による殺菌等を行う。すなわち、便蓋２１を閉めた状態で水洗をすることにより機能シート１０は汚物等に対して対面状態で接することになり水洗で便器ボウル２２内に飛散するウイルス等の菌を機能シート１０で吸着し殺菌する。
【００３７】
すなわち、通常、便蓋２１を開放して水洗すると便器ボウル２２内を洗浄する水流により排便等に含まれているウイルスや細菌が解放された便器ボウル２２の開口から空中にまきちらかされ、しかも、空中にばら撒かされたウイルスの潜伏期間が９０分以上もあるため次に便器を使用する人への二次感染を引き起こしてしまう。
かかる感染を防止するために便蓋２１の裏面に機能シート１０を貼着して便蓋２１を閉めて水洗するという本考案の特徴的な技術が生成された。
本件考案の重要な特徴はかかる機能シート１０の貼着個所と便蓋２１の閉蓋構成とにある。
【００３８】
また、殺菌・除菌・抗菌等の機能を有する機能シート１０は、紙質のシート本体１２の表面に薬剤１３を塗布し、裏面に粘着剤１１、例えば、アクリルゴムを塗布すると共に、薬剤１３としては水酸化カルシウムを基本としたことにあり、しかも、塗布した薬剤１３の表面或いは機能シート１０の表面には宣伝広告の機能も具備する文字や図形を印刷する印字面１４を備えている。
【実施例２】
【００３９】
上述した通り本件考案の重要な特徴はかかる機能シート１０の貼着箇所であり、便蓋２１以外の他の貼着箇所としては、図３に示すように、トイレの壁面３０に本考案である機能シート１０を貼着することで効果的に殺菌・除菌・抗菌できる。
【００４０】
実施例１で示したトイレの便蓋２１の裏面に貼着した状態では、図２に示すように、便器ボウル２２内と便座２３とスペーサ２４の隙間から機能シート１０に含浸した薬剤１３が拡散されて、トイレ空間Ｓ内の殺菌・除菌・抗菌を可能としていたが、その効果は便器ボウル２２内に対するものが大半でありトイレ空間Ｓ内に対しては効果が薄かった。
【００４１】
そこで、図３に示すように、トイレの壁面３０にこの機能シート１０を貼着することで、特に便座２３に腰かけた際の人の顔と略同一の高さにこの機能シート１０を貼着することで、口腔内から外部に拡散され、トイレ空間Ｓ内に浮遊する予定のウイルスを効率的に吸着することができ、入れ替わり使用することが多く比較的密閉された空間内の飛沫感染の虞を可及的に低減できる。また、機能シート１０の表面に広告（例えば、健康に関する情報）を印字することでトイレ空間Ｓ内の殺菌作用だけでなく利用者に有益な情報を提供できる。
【実施例３】
【００４２】
また、他の実施例として、図４に示すように、本考案の機能シート１０は電車の吊下げ広告４０にも活用することができる。電車Ｄ内は特に他者との接触が多い場所であり、また、人が密集することで熱量が大きくなることからエアコンＡを稼働させることで空気を対流させており、車内の一部の人がウイルスキャリアである場合、多くの人にウイルスが拡散される虞がある。
【００４３】
そこで、図４に示すように、電車Ｄ内のエアコンＡの吹き出し口に比較的近い吊下げ広告４０の掲示場所に機能シート１０の裏面の粘着剤１１同士を貼着した状態（印字面１４が両表面となる状態）で吊下げることでウイルスが拡散される前に機能シート１０の印字面１４で吸着することができる。また、吊下げ広告４０として使用する際の幅員を車両天井面の幅員と略同等とすることで、車両内を対流する空気が確実にこの機能シート１０に接触して効率的なウイルスの吸着作用を生起することができる。
【実施例４】
【００４４】
また、他の実施例として、図５に示すように、本考案の機能シート１０に飲食店Ｒのメニューを印字してメニュー表Ｍとして活用することもできる。飲食店Ｒは特定の時間帯において人の入れ替わりが多く、その分室内にウイルスがまき散らかされる蓋然性が高い空間である。
【００４５】
そこで、本考案の機能シート１０に提供する飲食メニューを印字してメニュー表Ｍとして活用することで、トイレの壁面での使用例同様に顔に近い位置に機能シート１０が配置されてウイルスが口腔内から排出されると同時に機能シート１０の印字面１４で吸着し、ウイルスの拡散を可及的に低減して店内をウイルスの少ない清潔な状態に保つことができる。また、機能シート１０は薬剤１３の塗膜表面や内部に形成された多数の細孔により悪臭成分を吸着する消臭作用を備えており、飲食店Ｒ内を無香空間とすることで提供された飲食物の味と香りを存分に堪能することができる。
【実施例５】
【００４６】
また、他の実施例として、新幹線Ｂの座席の後面に機能シート１０を張設して案内図として活用することもできる。図６に示すように、機能シート１０を新幹線Ｂの座席背面の背面折り畳みテーブルＴに貼着し、該機能シート１０の印字面１４に車内設備の案内図や折り畳みテーブルＴの使用時の注意点について印刷して利用することで、従来の車内環境から雰囲気を変更することなく、殺菌・除菌・抗菌作用を付与し清潔な車内環境を実現できる。
【００４７】
また、貼着面を着座時の顔面の高さとすることで人の口腔内から排出されるウイルスを吸着して殺菌・除菌・抗菌作用を効率よく実施でき、新幹線Ｂの車内環境を清潔に保つことができる。また、折り畳みテーブルＴの背面に貼着される案内図は一定の期間使用した後に使用状態により貼り替える必要がある。この貼り替え作業において、機能シート１０は、単に折り畳みテーブルＴの背面に貼着するだけで殺菌・除菌・抗菌作用を付与できるため、案内図を貼着した後に殺菌・除菌・抗菌作用を付加する必要性がなく、貼り替え作業を容易とすることができる。
【実施例６】
【００４８】
また、他の実施例として、図７に示すように、オフィスの受付など不特定多数の人間が出入りする空間の壁面や受付用のテーブルに本件考案の機能シート１０を貼着することで広告・宣伝機能やオフィス内の内線番号を印字面１４に印字して情報提供すると共に、殺菌・除菌・抗菌作用を受付空間に付与することができる。
【００４９】
このような不特定多数の人間が出入りする空間に殺菌・除菌・抗菌作用を備えた本考案の機能シート１０を貼着することで浮遊するウイルスを吸着して該空間を清潔に保ちウイルスが拡散される虞を低減できる。
【実施例７】
【００５０】
また、他の実施例として、図８に示すように、病院で使用する検診ファイルＦの外面に機能シート１０を張設して使用することができる。病院の診察室は種々の病気を保有した患者が同一の医者に診断してもらうため、患者が保有するウイルスが診断時において診察室に蔓延する虞がある。例えば、この機能シート１０を検診ファイルＦの外面に張設して利用することで、蔓延したウイルスを機能シート１０で吸着して破壊し、他の方への感染を防止すると共に、診断する側の医者がウイルスキャリアとなる虞を可及的に低減できる。
【００５１】
実施例１から実施例７に記載したように、便器の使用者、その他、機能シート１０を貼付した周辺個所にいる者は使用時に便蓋２１を開け蓋開放と同時に機能シート１０が眼前に現れて用を足す間に機能シート１０に印刷された宣伝広告表示を認識し、或いは各実施例の機能シート１０の使用形態において機能シート１０に直面して飲食や自動車等への乗車や病院での検診等の行動をする時に殺菌等の機能と共に広告宣伝機能も受けることができる。
【００５２】
かかる本考案の構成である所定箇所に塗布した略Ａ４タイプの大きさの殺菌・除菌・抗菌等の機能を有する機能シート１０は事業的には機能シート１０への宣伝広告機能により、「貼付対象物の占有者・甲」と「貼付対象物に張設する機能シートの製造施工業者・乙」と「宣伝広告を希望する事業者・丙」との三者による新しいビジネスモデルの関係が構築される。
【００５３】
すなわち、「貼付対象物の占有者・甲」は殺菌等の衛生面からの需要を必要としており、「張設する機能シートの製造施工業者・乙」は甲からの要望によりかかる機能シート１０の施工を行う業者として事業を行うことができ、他方、乙は「宣伝広告を希望する事業者・丙」から宣伝の依頼を受けて機能シート１０に宣伝広告表示を行い機能シート１０の施工を行う。
【００５４】
このように本件考案はかかる新しいビジネスモデルの構築に必要となるシステムに使用する媒体商品としても機能することもできる。
【００５５】
なお、本考案は上述した実施形態に限られず、上述した実施形態の中で開示した各構成を相互に置換したり組合せを変更したりした構成、公知考案並びに上述した実施形態の中で開示した各構成を相互に置換したり組合せを変更したりした構成等も含まれる。また、本考案の技術的範囲は上述した実施形態に限定されず、実用新案登録請求の範囲に記載された事項とその均等物まで及ぶものである。
【符号の説明】
【００５６】
Ａ  エアコン
Ｂ  新幹線
Ｄ  電車
Ｆ  検診ファイル
Ｍ  メニュー表
Ｒ  飲食店
Ｓ  トイレ空間
Ｔ  背面折り畳みテーブル
１０  機能シート
１１  粘着剤
１２  シート本体
１３  薬剤
１４  印字面
２０  腰かけ便器
２１  便蓋
２２  便器ボウル
２３  便座
２４  スペーサ
３０  壁面
４０  吊下げ広告
【図１】
0003218315.tif 000014
【図２】
0003218315.tif 000015
【図３】
0003218315.tif 000016
【図４】
0003218315.tif 000017
【図５】
0003218315.tif 000018
【図６】
0003218315.tif 000019
【図７】
0003218315.tif 000020
【図８】
0003218315.tif 000021